(57)【特許請求の範囲】
【請求項１】
左右方向を長手方向に持つ支持部材（１０）内で左右方向に沿って延び回転可能に支持される回転軸（１４）を回転駆動するために設けられるモータ装置（２６）であって、回転軸を回転駆動することによって、支持部材（１０）に支持された日射遮蔽材（２４）を開閉可能とするモータ装置の固定構造において、
モータ装置（２６）の外形部（２６ａ）の少なくとも一部が、左右、前後及び上下方向のうちの少なくともいずれかの方向から、吸振性を有するモータマウント（３０）で包囲されており、モータマウント（３０）の外壁面の少なくとも一部を支持部材（１０）の内壁面の少なくとも対向する２面それぞれの全面に合致する形状に形成して該対向する２面に密接することでモータマウントを支持部材に対して回転及び転動不能とし、モータマウントに形成した係合部（３０ｂ、３０ｃ）を支持部材に形成した被係合部（１０ｂ、１０ｃ）に係合することでモータマウント（３０）を支持部材（１０）に対して移動不能として、モータ装置（２６）が支持部材（１０）に固定されており、
モータマウント（３０）に形成した係合部を、モータマウント（３０）が支持部材（１０）に対して左右及び前後方向に固定されるように、支持部材（１０）の下面に形成される第１被係合部（１０ｂ）に係合する第１係合部（３０ｂ）と、モータマウント（３０）が支持部材（１０）に対して上下方向に固定されるように、支持部材（１０）の前後面に形成される第２被係合部（１０ｃ）に係合する第２係合部（３０ｃ）とから構成することを特徴とするモータ装置の固定構造。
【請求項２】
モータ装置（２６）の外形部（２６ａ）の左右、前後、上下のうちの少なくとも一つの端部が、モータマウント（３０）で包囲されることを特徴とする請求項１記載のモータ装置の固定構造。
【請求項３】
一対の対向するモータマウント（３０）によって、モータ装置（２６）の外形部（２６ａ）の少なくとも一部が包囲されることを特徴とする請求項１または２記載のモータ装置の固定構造。
【請求項４】
インサート成形によって、モータマウント（３０）がモータ装置（２６）の外形部（２６ａ）の少なくとも一部を包囲するようにしてモータマウントが成形されることを特徴とする請求項１ないし３のいずれか１項に記載のモータ装置の固定構造。
【請求項５】
左右方向を長手方向に持つ支持部材（１０）内で左右方向に沿って延び回転可能に支持される回転軸（１４）を回転駆動するために設けられるモータ装置（２６）であって、回転軸を回転駆動することによって、支持部材（１０）に支持された日射遮蔽材（２４）を開閉可能とするモータ装置の固定方法において、
モータ装置（２６）の外形部（２６ａ）の少なくとも一部を、左右、前後及び上下方向のうちの少なくともいずれかの方向から、吸振性を有するモータマウント（３０）で包囲し、
モータ装置（２６）とモータマウント（３０）とを支持部材（１０）内に挿入して、モータマウントの外壁面の少なくとも一部を支持部材の内壁面の少なくとも対向する２面それぞれの全面に合致する形状に形成して該対向する２面に密接することでモータマウント（３０）を支持部材（１０）に対して回転及び転動不能とし、モータマウントに形成した係合部（３０ｂ、３０ｃ）を支持部材に形成した被係合部（１０ｂ、１０ｃ）に係合することでモータマウントを支持部材に対して移動不能として、モータ装置（２６）を支持部材（１０）に固定し、
モータマウント（３０）に形成した係合部を、モータマウント（３０）が支持部材（１０）に対して左右及び前後方向に固定されるように、支持部材（１０）の下面に形成される第１被係合部（１０ｂ）に係合する第１係合部（３０ｂ）と、モータマウント（３０）が支持部材（１０）に対して上下方向に固定されるように、支持部材（１０）の前後面に形成される第２被係合部（１０ｃ）に係合する第２係合部（３０ｃ）とから構成することを特徴とするモータ装置の固定方法。
【発明の詳細な説明】
【技術分野】
【０００１】
本発明は、日射遮蔽材を開閉するためのモータ装置を固定する固定構造及び固定方法に関する。
【背景技術】
【０００２】
従来のモータ装置の固定構造及び固定方法としては、特許文献１に記載されたモータマウントを使用したものが知られている。これによれば、モータ出力軸が貫通する円形孔を有するＬ字形の金属板からなるモータマウントをヘッドボックスにネジ止めし、ゴムからなるＬ字形の吸振部材をモータマウントに添着し、内側に円錐面座を形成した吸振部材の円筒部をモータマウントの円形孔に同軸にはめ、円錐面座をモータケースの円筒または円錐状端面に密着させており、これによって、モータ出力軸とモータマウントの円形孔の軸心を合致させ、モータの振動を吸振部材によって吸収させて、騒音を発生させないようにしている。
【先行技術文献】
【特許文献】
【０００３】
【特許文献１】実用新案登録第２５４６４１２号公報
【発明の概要】
【発明が解決しようとする課題】
【０００４】
しかしながら、前記従来のものでは、モータマウントのヘッドボックスへの固定がネジ止めによって行われるため、ネジの締め付け具合によって、金属板からなるモータマウントとヘッドボックスとの間の共振が発生しビビリ音が発生するという課題がある。また、ネジ止めが必須であるためにその組立作業性が悪いという課題もある。
【０００５】
本発明はかかる課題に鑑みなされたもので、騒音の発生を防止することができ、且つ組立作業性を良好にできるモータの固定構造及び方法を提供することを、その目的とする。
【課題を解決するための手段】
【０００６】
前述した目的を達成するために、本発明は、左右方向を長手方向に持つ支持部材内で左右方向に沿って延び回転可能に支持される回転軸を回転駆動するために設けられるモータ装置であって、回転軸を回転駆動することによって、支持部材に支持された日射遮蔽材を開閉可能とするモータ装置の固定構造において、
モータ装置の外形部の少なくとも一部を、左右、前後及び上下方向のうちの少なくともいずれかの方向から、吸振性を有するモータマウントで包囲し、モータマウントの外壁面の少なくとも一部を支持部材の内壁面の少なくとも一部に密接することでモータマウントを支持部材に対して回転及び転動不能とし、モータマウントに形成した係合部を支持部材に形成した被係合部に係合することでモータマウントを支持部材に対して移動不能として、モータ装置を支持部材に固定することを特徴とする。
【０００７】
さらに、モータ装置の外形部の左右、前後、上下のうちの少なくとも一つの端部を、モータマウントで包囲することを特徴とする。
【０００８】
さらに、モータマウントに形成した係合部を、支持部材の下面に形成される第１被係合部に係合する第１係合部と、支持部材の前後面に形成される第２被係合部に係合する第２係合部とから構成することを特徴とする。
【０００９】
さらに、一対の対向するモータマウントによって、モータ装置の外形部の少なくとも一部を包囲することを特徴とする。
【００１０】
さらに、インサート成形によって、モータマウントがモータ装置の外形部の少なくとも一部を包囲するようにしてモータマウントを成形することを特徴とする。
【００１１】
また、本発明は、左右方向を長手方向に持つ支持部材内で左右方向に沿って延び回転可能に支持される回転軸を回転駆動するために設けられるモータ装置であって、回転軸を回転駆動することによって、支持部材に支持された日射遮蔽材を開閉可能とするモータ装置の固定方法において、
モータ装置の外形部の少なくとも一部を、左右、前後及び上下方向のうちの少なくともいずれかの方向から、吸振性を有するモータマウントで包囲し、
モータ装置とモータマウントとを支持部材内に挿入して、モータマウントの外壁面の少なくとも一部を支持部材の内壁面の少なくとも一部に密接することでモータマウントを支持部材に対して回転及び転動不能とし、モータマウントに形成した係合部を支持部材に形成した被係合部に係合することでモータマウントを支持部材に対して移動不能として、モータ装置を支持部材に固定することを特徴とする。
【発明の効果】
【００１２】
本発明によれば、吸振性を有するモータマウントによってモータ装置からの振動が支持部材に伝達することを防ぎ、騒音の発生を防止することができる。また、モータマウントの外壁面の少なくとも一部を支持部材の内壁面の少なくとも一部に密接することでモータマウントを支持部材に対して回転及び転動不能とし、モータマウントに形成した係合部を支持部材に形成した被係合部に係合することでモータマウントを支持部材に対して移動不能とすることで、モータ装置をネジを用いずに支持部材に固定することができると共に、モータマウントと支持部材との共振を防ぎ、モータ装置からの反力をモータマウントによって吸収することができる。
【図面の簡単な説明】
【００１３】
【図１】本発明を適用したブラインドの正面図である。
【図２】本発明を適用したブラインドの断面図である。
【図３】本発明によるモータ固定構造の第１実施形態を表す側面図である。
【図４】図３のＡ−Ａ線に沿って見た断面図である。
【図５】図３のモータ固定構造の正面図である。
【図６】図３のモータ固定構造の分解斜視図である。
【図７】図３のモータ固定構造の組立時の状態を表す斜視図である。
【図８】本発明によるモータ固定構造の第２実施形態を表す側面図である。
【図９】図８のＢ−Ｂ線に沿って見た断面図である。
【図１０】図８のモータ固定構造の正面図である。
【図１１】本発明によるモータ固定構造の第３実施形態を表す側面図である。
【図１２】図１１のモータ固定構造の平面図である。
【発明を実施するための形態】
【００１４】
以下、図面を用いて本発明の実施形態を説明する。
【００１５】
（第１の実施形態）
図１及び図２は、本発明が適用可能なブラインドの一例を表している。図１において、ブラインドは、支持部材としてのヘッドボックス１０を備える。ヘッドボックス１０は複数のブラケット１２によって壁面、窓枠といった固定面に固定されており、長手方向として左右方向に延びている。ヘッドボックス１０の断面形状は、図３に示すように上部が開口したコ字状形状となっている。尚、明細書及び特許請求の範囲において、左右方向とはヘッドボックス１０の長手方向に一致した方向であり、上下方向は左右方向に直交し、且つヘッドボックス１０から日射遮蔽材が支持される方向（通常は鉛直方向であるが、それに限るものではない）、前後方向は左右方向及び上下方向の両方に直交する方向とする。
【００１６】
ヘッドボックス１０内には、その長手方向に沿って回転軸１４が配設される。回転軸１４は、その軸心を中心として回転可能であり、回転軸１４上には、適宜間隔で、回転軸１４と一体的に回転可能となった昇降回転ドラム１６が設けられる。各昇降回転ドラム１６には、昇降コード１８及び／またはラダーコード２０の一端が連結されており、コード１８、２０の他端または他端側はヘッドボックス１０から垂下されて日射遮蔽材であるスラット２４の下端に配置されたボトムレールに連結されており、ラダーコード２０がスラット２４を吊下げ支持または整列支持し、スラット２４の昇降及び開閉動作をさせるようになっている。
【００１７】
回転軸１４は、モータ装置２６によって回転駆動される。モータ装置２６は、その最外側を構成し非回転のモータ外形部２６ａと、モータ外形部２６ａの内部に設けられるロータに作用的に接続されてモータ外形部２６ａ両端部から突出する回転可能なモータ出力軸２６ｂと、を有し、モータ出力軸２６ｂが回転軸１４に連結される。モータ装置２６は、操作指令を受ける制御ユニット２８の制御によって回転軸１４を回転駆動可能となっており、モータ装置２６によって回転軸１４を任意の回転方向に回転駆動することで、日射遮蔽材２４の開閉動作を行わせることができる。
【００１８】
このモータ装置２６をヘッドボックス１０内に固定するにあたり、本発明では、ネジ止めが不要となった１つまたは複数のモータマウント３０を用いて行う。モータマウント３０は、軟質弾性材よりなる吸振性を持つ材料からなる成形品であり、モータマウント３０の内側形状は、モータ外形部２６ａの少なくとも一部を包囲することができるように、モータ外形部２６ａの一部の外側形状に合致したものとなっている。
【００１９】
図３〜図５に示した例では、モータ外形部２６ａは左右対称で、その左右両端部は角筒形の形状をしており、モータマウント３０としては、モータ外形部２６ａの左右両端部を包囲することができるように、一対の対向する同一形状のモータマウント３０が用いられている。そして、各モータマウント３０の内側形状は、モータ外形部２６ａの左右両端部の前後、上下、及び右または左に向いた面を覆い、一対のモータマウント３０で、モータ外形部２６ａの一部の前後、上下、及び左右に向いた面を覆うことができるようになっている。
【００２０】
また、各モータマウント３０には、左右方向に延びる貫通孔３０ａが形成されており、貫通孔３０ａをモータ出力軸２６ｂが遊嵌状態で、貫通している。
【００２１】
さらに、各モータマウント３０の外側形状の少なくとも一部は、ヘッドボックス１０の内側形状の少なくとも一部に合致したものとなっており、各モータマウント３０の前後及び下の外壁面の少なくとも一部が、ヘッドボックス１０の前後及び下の内壁面の少なくとも一部に密接するようになっている。
【００２２】
また、各モータマウント３０の下部には、ヘッドボックス１０の下面に形成された第１被係合部としての複数の係止孔１０ｂに係合する第１係合部としての係合突起３０ｂが形成され、各モータマウント３０の前後部には、ヘッドボックス１０の前後の内壁面に形成され左右方向に延びる第２被係合部としての複数の係合リブ１０ｃに係合する第２係合部としての係合凹部３０ｃが形成されている。
【００２３】
以上のモータマウント３０を用いてモータ装置２６を固定する手順を説明すると、図６に示す状態からモータ出力軸２６ｂをモータマウント３０の貫通孔３０ａに通して、モータ装置２６のモータ外形部２６ａの左右両端部を各モータマウント３０で包囲し、図７に示すように、ヘッドボックス１０の上部の開口からモータ装置２６及びモータマウント３０を一体的に挿入する。挿入時に、ヘッドボックス１０の上部鍔部や係合リブ１０ｃがモータマウント３０に干渉するものの、モータマウント３０及びヘッドボックス１０をそれぞれ弾性変形させることで、モータマウント３０を通過させて、係合突起３０ｂをヘッドボックス１０の係合孔１０ｂに係合し、モータマウント３０の係合凹部３０ｃを係合リブ１０ｃに係合する。
【００２４】
この係合突起３０ｂと係合孔１０ｂとの係合により、モータマウント３０及びモータ装置２６はヘッドボックス１０に対して左右、前後方向に位置決めされて固定され、係合凹部３０ｃと係合リブ１０ｃとの係合により、モータマウント３０及びモータ装置２６はヘッドボックス１０に対して上下方向に位置決めされて固定される。併せて、モータマウント３０の前後及び下の外壁面がヘッドボックス１０の前後及び下の内壁面に密接することで、モータマウント３０がヘッドボックス１０に対して回転及び転動不能に固定される。
【００２５】
モータ装置２６の作動時に発生する振動は、モータマウント３０によって吸収されるために、ヘッドボックス１０に伝達されることを防ぐことができる。
【００２６】
モータ装置２６を組み立てる際に、ネジ止めは一切不要であるために、組立性・作業性が良好であると共に、ネジが緩むことによる騒音の発生を防ぐことができる。特に、モータマウント３０がヘッドボックス１０に密接してヘッドボックス１０自体の振動を吸収するために、モータマウント３０とヘッドボックス１０とが共振せずに騒音の発生を防止することができる。
【００２７】
また、モータマウント３０の外壁面がヘッドボックス１０の内壁面に密接してヘッドボックス１０に対して回転及び転動不能に固定されているために、モータ装置２６の作動時にモータ回転の反力をモータマウント３０によって受けて効果的に吸収することができる。
【００２８】
尚、この実施形態では、モータマウント３０がモータ装置２６の左右両端に取り付けられていたが、これに限るものではなく、モータ装置２６の左右一端のみに取り付けられて、片持ち式でモータ装置２６を固定してもよい。
【００２９】
（第２の実施形態）
次に、図８〜図１０は、本発明の第２実施形態を示している。この例では、上側と下側に対向する一対のモータマウント３０が、それぞれモータ装置２６のモータ外形部２６ａの上下端部を包囲している。そして、各モータマウント３０の内側形状は、モータ外形部２６ａの上下端部の左右、前後、及び上または下に向いた面を覆い、一対のモータマウント３０で、モータ外形部２６ａの一部の左右、前後、上下に向いた面を覆うことができるようになっている。
【００３０】
さらに、各モータマウント３０の外側形状の少なくとも一部は、ヘッドボックス１０の内側形状の少なくとも一部に合致したものとなっており、各モータマウント３０の前後の外壁面の少なくとも一部及び下側のモータマウントの下の外壁面の少なくとも一部が、ヘッドボックス１０の前後及び下の内壁面の少なくとも一部に密接するようになっている。
【００３１】
また、下側のモータマウント３０の下部には、ヘッドボックス１０の下面に形成された係止孔１０ｂに嵌合する係合突起３０ｂが形成され、各モータマウント３０の前後部には、ヘッドボックス１０の前後の内壁面に形成され左右方向に延びる複数の係合リブ１０ｃに係合する係合凹部３０ｃが形成されている。
【００３２】
この実施形態のモータ固定構造は、第１実施形態と同様の手順でモータ装置２６をヘッドボックス１０に固定することができる。よって、下側のモータマウント３０の係合突起３０ｂと係合孔１０ｂとの係合により、モータマウント３０及びモータ装置２６はヘッドボックス１０に対して左右、前後方向に位置決めされて固定され、係合凹部３０ｃと係合リブ１０ｃとの係合により、モータマウント３０及びモータ装置２６はヘッドボックス１０に対して上下方向に位置決めされて固定される。併せて、モータマウント３０の前後及び下の外壁面がヘッドボックス１０の前後及び下の内壁面に密接することで、モータマウント３０がヘッドボックス１０に対して回転及び転動不能に固定される。
【００３３】
これによって、第１実施形態と同様の作用・効果が得られる。この実施形態では、上側のモータマウント３０と下側のモータマウント３０を用いていたが、いずれか一方、好ましくは下側のモータマウント３０だけを用いてモータ装置２６を固定するようにしてもよい。
【００３４】
（第３の実施形態）
次に、図１１〜図１２は、本発明の第３実施形態を示している。この例では、前側と後側に対向する一対のモータマウント３０が、それぞれモータ装置２６のモータ外形部２６ａの前後端部を包囲している。そして、各モータマウント３０の内側形状は、モータ外形部２６ａの前後端部の左右、上下、及び前または後に向いた面を覆い、一対のモータマウント３０で、モータ外形部２６ａの一部の左右、上下、前後に向いた面を覆うことができるようになっている。
【００３５】
さらに、各モータマウント３０の外側形状の少なくとも一部は、ヘッドボックス１０の内側形状の少なくとも一部に合致したものとなっており、前側のモータマウント３０の前、下の外壁面の少なくとも一部及び後側のモータマウント３０の後、下の外壁面の少なくとも一部が、ヘッドボックス１０の前後及び下の内壁面の少なくとも一部に密接するようになっている。
【００３６】
また、各モータマウント３０の下部には、ヘッドボックス１０の下面に形成された係止孔１０ｂに嵌合する係合突起３０ｂが形成され、前側のモータマウント３０の前部及び後側のモータマウント３０の後部には、ヘッドボックス１０の前後の内壁面に形成され左右方向に延びる複数の係合リブ１０ｃに係合する係合凹部３０ｃが形成されている。
【００３７】
この実施形態のモータ固定構造は、前実施形態と同様の手順でモータ装置２６をヘッドボックス１０に固定することができる。よって、各モータマウント３０の係合突起３０ｂと係合孔１０ｂとの係合により、モータマウント３０及びモータ装置２６はヘッドボックス１０に対して左右、前後方向に位置決められて固定され、係合凹部３０ｃと係合リブ１０ｃとの係合により、モータマウント３０及びモータ装置２６はヘッドボックス１０に対して上下方向に位置決めされて固定される。併せて、モータマウント３０の前後及び下の外壁面がヘッドボックス１０の前後及び下の内壁面に密接することで、モータマウント３０がヘッドボックス１０に対して回転及び転動不能に固定される。
【００３８】
これによって、前実施形態と同様の作用・効果が得られる。この実施形態では、前側のモータマウント３０と後側のモータマウント３０を用いていたが、いずれか一方のモータマウント３０だけを用いてモータ装置２６を固定するようにしてもよい。
【００３９】
尚、以上の例では、モータ外形部２６ａの一部が、一対のモータマウント３０によって
左右、上下及び前後の６方向から包囲されているが、これに限るものではなく、少なくとも４方向とすることでもよい。例えば、左右方向に関しては省略可能である。
【００４０】
また、モータ外形部２６ａのモータマウント３０によって包囲される部分が、角筒（立方体）形状であったが、これに限るものではなく、円筒形、球形、楕円体等の曲面形状であってもよい。その場合においても、モータ外形部２６ａのいずれかの点における接面に直交する方向が前後、左右、上下のうちの少なくとも４方向において、モータマウント３０によって覆われているとよい。併せて、モータマウント３０はヘッドボックス１０の内壁面のうちの少なくとも対向する２面に対して（以上の実施形態において、前後面）密接しているとよく、これによって、モータ装置２６の回転による反力をモータマウント３０で効果的に吸収することができる。
【００４１】
また、以上の例では、モータマウント３０とモータ装置２６とが組み立てる直前まで別体部品となっていたが、これに限るものではなく、モータマウント３０の成形時に、インサート成形によってモータ装置２６と一体的に成形しておくことも可能である。モータマウント３０とモータ装置２６とを一体化することによって、組立作業を簡略化して、部品の管理も容易にすることができる。
【００４２】
また、以上の例では、モータマウント３０がモータ装置２６のモータ外形部２６ａの端部を包囲していたが、これに限るものではなく、モータ装置２６の少なくとも中央部を包囲するようにしてもよい。
【００４３】
また、第１係合部と第１被係合部との係合、及び第２係合部と第２被係合部との係合は、図示した例に限らず、任意の構成とすることができ、例えば、係合部及び被係合部の一方を切起こし、鍔、折り曲げ片といった凹凸形状とし、他方をそれに係合する凸凹形状とすることができる。
【符号の説明】
【００４４】
１０  ヘッドボックス（支持部材）
１０ｂ  係止孔（第１被係合部）
１０ｃ  係合リブ（第２被係合部）
１４  回転軸
２４  スラット（日射遮蔽材）
２６  モータ装置
２６ａ  モータ外形部
３０  モータマウント
３０ｂ  係合突起（第１係合部）
３０ｃ  係合凹部（第２係合部）
【図１】
0005950527.tif 000002
【図２】
0005950527.tif 000003
【図３】
0005950527.tif 000004
【図４】
0005950527.tif 000005
【図５】
0005950527.tif 000006
【図６】
0005950527.tif 000007
【図７】
0005950527.tif 000008
【図８】
0005950527.tif 000009
【図９】
0005950527.tif 000010
【図１０】
0005950527.tif 000011
【図１１】
0005950527.tif 000012
【図１２】
0005950527.tif 000013